(57)【要約】【課題】大掛かりな設備が不要であり、シャワー浴と湯中浴とを共通の担架で実現可能とする。【解決手段】搬送車１と、噴射ノズル１４を有するシャワー浴槽９と、シャワー浴槽９に隣接配置される浴槽１５と、を備え、搬送車１、シャワー浴槽９および浴槽１５は、直線状に並んで配置されかつ担架６を載置する載置手段５ａ，５ｂ；１１ａ，１１ｂ；１５ａ，１５ｂを有し、搬送車１とシャワー浴槽９との間、及びシャワー浴槽９と浴槽１５との間で担架６の移動を前記載置手段を介して行うものである。【選択図】図６
2019037534.tif 000002
【特許請求の範囲】
【請求項１】
噴射ノズルを有するシャワー浴槽と、
前記シャワー浴槽に隣接配置される浴槽と、を備え、
前記シャワー浴槽および前記浴槽は、直線状に並んで配置されかつ担架を載置する載置手段を各々有し、前記シャワー浴槽と前記浴槽との間で前記担架の移動を前記載置手段を介して行う、ことを特徴とする入浴装置。
【請求項２】
担架を載置する載置手段を有する搬送車をさらに備え、
前記搬送車の前記載置手段は、前記シャワー浴槽の前記載置手段と直線状に並んで配置され、前記搬送車と前記シャワー浴槽との間で前記担架の移動を前記載置手段を介して行う、ことを特徴とする請求項１に記載の入浴装置。
【請求項３】
前記搬送車には、その長手方向の略中央部を当該搬送車の幅方向に横断してなる介助者出入用スペースが設けられている、請求項２に記載の入浴装置。
【請求項４】
前記シャワー浴槽には、その長手方向の略中央部を当該シャワー浴槽の幅方向に横断してなる介助者出入用スペースが設けられている、請求項１〜３のいずれかに記載の入浴装置。
【請求項５】
前記シャワー浴槽は、前記搬送車の非連結時では前記載置手段からの前記担架の脱落を防止し、連結時では前記載置手段を介しての前記担架の移動を許容する担架脱落防止機構を有する、請求項１〜４のいずれかに記載の入浴装置。
【請求項６】
前記シャワー浴槽は、固定台部と、前記固定台部の後方側に立設された側部と、前記側部に連成され前記固定台部と上下方向で対向する天井部とを備え、かつ前記天井部は、前記固定台部に対向する天井面に窪みを有し、前記噴射ノズルは、前記窪み内に配置され、その周囲が前記窪みの内面で包囲されている、請求項１〜５のいずれかに記載の入浴装置。
【請求項７】
前記浴槽に設けた前記載置手段または前記浴槽のうち少なくとも一方が昇降可能となっている、請求項１〜６のいずれかに記載の入浴装置。
【請求項８】
請求項１に記載の入浴装置を使用し、
前記シャワー浴槽において前記担架に乗った被介助者をシャワー浴させ、その後、前記担架を前記浴槽に移動させて前記被介助者を湯中浴させる、ことを特徴とする入浴方法。
【請求項９】
請求項２〜７のいずれかに記載の入浴装置を使用し、
前記搬送車に載置された被介助者の乗った前記担架を前記シャワー浴槽に移動させて前記被介助者をシャワー浴させ、その後、前記担架を前記浴槽に移動させて前記被介助者を湯中浴させる、ことを特徴とする入浴方法。
【発明の詳細な説明】
【技術分野】
【０００１】
本発明は、被介助者をシャワー浴及び湯中浴をさせるための入浴装置、及び、入浴方法に関する。
【背景技術】
【０００２】
従来の入浴装置には、図１１に示すものがある。図１１は、特許文献１の第２図に示されている入浴装置を示す。この入浴装置においては、入浴者を乗せたキャリヤー板をコンベヤーによって自動的に移動させて、各箇所で、入浴のための脱衣、洗身、入浴、入浴後の乾燥、着衣の各処置を行って入浴させる入浴装置が記載されている。洗身を行う箇所では昇降するシャワーバスが使用されており、コンベヤーによって当該箇所に移動してきた入浴者に対してシャワーバスが上昇して洗身を行い、洗身が終了するとシャワーバスが下降して、コンベヤーによって入浴を行う箇所に入浴者を移動させている。
【０００３】
別の従来の入浴装置には、図１２に示すものがある。図１２は、特許文献２の図１に示されている入浴装置を示す。この入浴装置においては、中央に介助スペースができるよう、環状に、浴槽、洗浄台、浴槽を配置し、環状レールの一部の空きスペースに、ストレッチャーを嵌め込むように構成した入浴装置が記載されており、入浴者を乗せた担架を、環状レール上で移動させ入浴・洗身を行う。
【先行技術文献】
【特許文献】
【０００４】
【特許文献１】特公昭５７−４９２１９号公報
【特許文献２】特許第３０６９１７５号公報
【発明の概要】
【発明が解決しようとする課題】
【０００５】
しかしながら、特許文献１に記載の入浴装置では、キャリヤー板の搬送にコンベヤーが必要で、大掛かりな設備を浴室に設ける必要があり、シャワーバスも昇降させないとシャワーを浴びることができなかった。
【０００６】
特許文献２に記載の入浴装置では、レールが円弧状に形成されているので、直線に比べて長くなり、この結果、担架の移動距離も長くなる。また、洗浄台と浴槽との間の繋ぎレールも必要になる。
【０００７】
本発明は、このような課題を解決するためになされたものであり、大掛かりな設備が不要であり、シャワー浴と湯中浴とを共通の担架で実現可能な入浴装置を提供することを目的とする。
【課題を解決するための手段】
【０００８】
本発明は、上記目的を達成するため、以下の手段を提供する。
【０００９】
（１）本発明に係る入浴装置は、噴射ノズルを有するシャワー浴槽と、前記シャワー浴槽に隣接配置される浴槽と、を備え、前記シャワー浴槽および前記浴槽は、直線状に並んで配置されかつ担架を載置する載置手段を各々有し、前記シャワー浴槽と前記浴槽との間で前記担架の移動を前記載置手段を介して行う、ことを特徴とする。
【００１０】
本発明によれば、シャワー浴後に被介助者の載せ替えを行うことなく、担架をそのまま移動させて浴槽での入浴（湯中浴）を行うことができる。そのため、共通の担架でシャワー浴と湯中浴を行うことができ、入浴効率を改善することができる。また、コンベヤーのような大掛かりな設備や、洗浄台と浴槽との間の繋ぎレールを設ける必要はない。
【００１１】
（２）本発明の好ましい実施態様では、担架を載置する載置手段を有する搬送車をさらに備え、前記搬送車の前記載置手段は、前記シャワー浴槽の前記載置手段と直線状に並んで配置され、前記搬送車と前記シャワー浴槽との間で前記担架の移動を前記載置手段を介して行う、ことを特徴とする。
【００１２】
本発明によれば、搬送車上の担架をそのままシャワー浴槽に移動させて被介助者のシャワー浴を行うことができる。
【００１３】
（３）本発明の好ましい実施態様では、前記搬送車には、その長手方向の略中央部を当該搬送車の幅方向に横断してなる介助者出入用スペースが設けられている。
【００１４】
この実施態様によれば、搬送車からシャワー浴槽へ担架を移動する際、介助者は搬送車のスペースに入ることができるため、担架の移動を容易に行うことができる。また、介助者は、搬送車のスペースに入ってシャワー浴中の被介助者の介助を行うことができるため、被介助者に近い距離で容易に介助を実施することができる。
【００１５】
（４）本発明の好ましい実施態様では、前記シャワー浴槽には、その長手方向の略中央部を当該シャワー浴槽の幅方向に横断してなる介助者出入用スペースが設けられている。
【００１６】
この実施態様によれば、シャワー浴槽から浴槽へ担架を移動させる際、介助者は、シャワー浴槽の介助者出入用のスペースに入ることができるため、担架の移動を容易に行うことができる。また、介助者は、シャワー浴槽の前記スペースに入って浴槽に入浴中の被介助者の介助を行うことができるため、被介助者に近い距離で容易に介助を実施することができる。
【００１７】
（５）本発明の好ましい実施態様では、前記シャワー浴槽は、前記搬送車の非連結時では前記載置手段からの前記担架の脱落を防止し、連結時では前記載置手段を介しての前記担架の移動を許容する担架脱落防止機構を有する。
【００１８】
この実施態様によれば、搬送車がシャワー浴槽に連結したときに、搬送車とシャワー浴槽との間で担架を移動することが可能となるため、安全性を向上でき、介助者は安心して介助作業を行うことができる。
【００１９】
（６）本発明の好ましい実施態様では、前記シャワー浴槽は、固定台部と、前記固定台部の後方側に立設された側部と、前記側部に連成され前記固定台部と上下方向で対向する天井部とを備え、かつ前記天井部は、前記固定台部に対向する天井面に窪みを有し、前記噴射ノズルは、前記窪み内に配置され、その周囲が前記窪みの内面で包囲されている。
【００２０】
この実施態様によれば、介助者等がシャワー浴槽の天井面を清掃する際に、噴射ノズルは窪みに包囲されているので、清掃作業者は、噴射ノズルに格別な配慮を払うこともなく清掃作業を行うことができ、また、噴射ノズルに当たるおそれもないから、作業者が清掃に際して噴射ノズルで当たったりして怪我をする可能性も低減され、清掃上の作業性と安全性とを向上できる。
【００２１】
（７）本発明の好ましい実施態様では、前記浴槽に設けた前記載置手段または前記浴槽のうち少なくとも一方が昇降が可能となっている。
【００２２】
この実施態様によれば、浴槽に設けた載置手段または浴槽のうち少なくとも一方が昇降できるので、担架を浴槽上に移動させた後、担架を浴槽に対して相対的に下降させて被介助者を浴槽内の浴湯に浸からせて入浴させ、入浴終了後は担架を浴槽に対して相対的に上昇させて被介助者を退浴させることができる。
【００２３】
（８）本発明に係る入浴方法は、前記（１）に記載の入浴装置を使用し、前記シャワー浴槽において前記担架に乗った被介助者をシャワー浴させ、その後、前記担架を前記浴槽に移動させて前記被介助者を湯中浴させる、ことを特徴とする。
【００２４】
本発明によれば、シャワー浴後に入浴者の載せ替えを行うことなく、担架をそのまま移動させて浴槽で湯中浴が可能となり、共通の担架でシャワー浴と湯中浴を行うことができ、入浴効率を改善することができる。
【００２５】
（９）本発明に係る入浴方法は、前記（２）〜（７）のいずれかに記載の入浴装置を使用し、前記搬送車に載置された被介助者の乗った前記担架を前記シャワー浴槽に移動させて前記被介助者をシャワー浴させ、その後、前記担架を前記浴槽に移動させて前記被介助者を湯中浴させる、ことを特徴とする。
【００２６】
本発明によれば、搬送車上の担架をシャワー浴槽に移動させてシャワー浴を行い、シャワー浴後に被介助者の載せ替えを行うことなく、担架をそのまま移動させて浴槽で湯中浴が可能となり、共通の担架でシャワー浴と湯中浴を行うことができ、入浴効率を改善することができる。
【発明の効果】
【００２７】
本発明によれば、大掛かりな設備が不要であり、シャワー浴と湯中浴とを共通の担架で実現可能である。
【図面の簡単な説明】
【００２８】
【図１】搬送車の斜視図。
【図２】担架を搭載した搬送車の斜視図。
【図３】シャワー浴槽の斜視図。
【図４】担架脱落防止機構の要部を示す斜視図。
【図５ａ】図３のシャワー浴槽の天井部の部分平面図。
【図５ｂ】図５ａの一部拡大斜視断面図。
【図５ｃ】図５ｂの一部拡大斜視断面図。
【図６】本発明の入浴装置において搬送車に担架が搭載されている斜視図。
【図７】本発明の入浴装置においてシャワー浴槽に担架がスライド移動されている斜視図。
【図８】本発明の入浴装置において浴槽に担架がスライド移動されている斜視図。
【図９】別のシャワー浴槽の斜視図。
【図１０】搬送車とシャワー浴槽の連結部分の内部構造を示す拡大斜視図
【図１１】従来例の入浴装置の側面図。
【図１２】別の従来例の入浴装置の平面図。
【発明を実施するための形態】
【００２９】
以下、添付した図面を参照して本発明の実施形態に係る入浴装置及び入浴方法を説明する。
【００３０】
図１及び図２を参照して、実施形態の入浴装置に使用される搬送車を説明する。図１は、担架がレール上に載置されていない状態の搬送車の斜視図であり、図２は、担架がレール上に載置されている状態の搬送車の斜視図である。
【００３１】
図１を参照して、搬送車１は、台車部２と、一対のフレーム部３ａ，３ｂと、一対の上面部４ａ，４ｂと、を備える。台車部２は、複数の車輪２ａ、操作ペダル２ｂ１、解除ペダル２ｂ２、等が設けられている。フレーム部３ａ，３ｂは、台車部２の長手方向一方と他方に設けられ、上面部４ａ，４ｂを長手方向一方と他方とで支持するとともに協働して該上面部４ａ，４ｂを平行に昇降するリンク機構を構成する。なお、操作ペダル２ｂ１は、搬送車１を動かないようにするためのブレーキペダルである。解除ペダル２ｂ２は、後述の連結部２ｅと不図示のワイヤーでつながっており、連結部２ｅを上方に回動させるもので、搬送車１と後述のシャワー浴槽９との連結を解除するときに操作されるペダルである。
【００３２】
台車部２は、フレーム部３ａ，３ｂ間に、台車部２の長手方向の略中央部を当該搬送車１の幅方向（短手方向）に横断してなる介助者出入用のスペースＳ１がある。介助者は、このスペースＳ１を介して台車部２を出入りできる。上面部４ａ，４ｂは、それぞれ、フレーム部３ａ，３ｂ上に設けられ、レール（載置手段）５ａ，５ｂが搬送車の幅方向（短手方向）において互いに平行に設けられている。台車部２の略中央側面は、長手方向に凹形状の係合部２ｆをなし、当該中央側面には、後述するシャワー浴槽９との連結のための一対のフック状の連結部２ｅが設けられている。
【００３３】
図２を参照して、搬送車１の上面部４ａ，４ｂのレール５ａ，５ｂには担架６が載置されている。担架６は、載置部６ａと、サイドフェンス６ｂと、枕部６ｃと、手摺部６ｄ等、を含む。サイドフェンス６ｂは、載置部６ａの短手方向（幅方向）両側において起立・倒伏可能に設けられている。
【００３４】
図３を参照してシャワー浴槽を説明する。図３に示すように、空間における方向として、シャワー浴槽の長手方向を前後とし、シャワー浴槽の短手方向（幅方向）を左右とし、鉛直方向を上下とする。
【００３５】
シャワー浴槽９は、固定台部９ａと、前記固定台部９ａの後方側に立設された側部９ｂと、前記側部９ｂに連成され前記固定台部９ａと上下方向で対向する天井部９ｃとを備えて、側面視片仮名の「コ」の字形状となり、前面及び左右両側面が開放され、被介助者の洗髪、洗身等のためのハンドシャワー１０が備えられている。
【００３６】
固定台部９ａは、その上面９ｄが後方側の側部９ｂ方向に漸次低くなる斜面になっており、かつ、左右両側周囲が外壁９ｅで囲まれ、湯水が浴槽側方に漏れず上面９ｄの後方にある排水口９ｆから排出されるようになっている。
【００３７】
固定台部９ａの側面には、搬送車１の台車部２の側面の係合部２ｆの凹形状に対応した凸形状の被係合部９ａ１が設けられ、この被係合部９ａ１の上面には、搬送車１の一対の連結部２ｅがそれぞれ係入する係入孔９ａ２が形成されている。搬送車１は、連結部２ｅが係入孔９ａ２に係入されることで、シャワー浴槽９に連結される。連結部２ｅはバネ部材で係入孔９ａ２に係入する方向に付勢されており、係入孔９ａ２からの離脱は解除ペダル２ｂ２の操作により行われる。
【００３８】
固定台部９ａには、平行に延びる一対のレール（載置手段）１１ａ，１１ｂが固定されている。レール１１ａ，１１の対向間隔及び高さは、搬送車１のレール５ａ，５ｂの対向間隔及び高さとそれぞれ同じである。レール１１ａ，１１ｂは、搬送車１がシャワー浴槽９に横付けされると、搬送車１のレール５ａ，５ｂ上に載置されている担架６をシャワー浴槽９側にスライド移動させるためのものである。
【００３９】
シャワー浴槽９は、一対のレール１１ａ，１１ｂのうち、搬送車１が横付けされる側のレール１１ｂの端部に担架脱落防止機構１２を備えている。
【００４０】
図４を参照して、担架脱落防止機構１２を説明すると、レール１１ｂの端部に一対の板状の取付部材１２ａ，１２ｂが対向固設される。これら取付部材１２ａ，１２ｂに回転軸１２ｃが回転可能に挿通される。回転軸１２ｃは、その両端がピン部材で抜け止めされている。回転軸１２ｃは、時計回り方向（矢印ａ方向）に図示略のバネ部材で付勢されている。この回転軸１２ｃに脱落防止部材１２ｄが取り付けられている。
【００４１】
担架脱落防止機構１２の脱落防止部材１２ｄには、筒部１２ｅを介してワイヤー１２ｆの一端側が接続されている。ワイヤー１２ｆの他端側はシャワー浴槽９内に導入され被係合部９ａ１内のワイヤー操作機構に接続されている。
【００４２】
ワイヤー操作機構について、図１０を参照して説明する。シャワー浴槽９の浴槽側フレーム２２に回動軸２３が回動可能に取り付けられ、回動軸２３にはレバー部２４および曲折部２５が一体的に取り付けられている。また、回動体２６が浴槽側フレーム２２に支軸２７で回動可能に取り付けられている。搬送車１に設けられた連結部２ｅは、台車部２の内部に設けた軸２ｇに取り付けられ、軸２ｇに巻装されたバネ部材２ｈで時計回り方向（図中の矢印ｃ方向）に付勢されている。連結部２ｅが係入孔９ａ２に係入して搬送車１とシャワー浴槽９とが連結状態になると、連結部２ｅによってレバー部２４が下方に押され、その結果、曲折部２５が上方に移動して回動体２６の一端２６ａが上方に押される。これにより、回動体２６は時計回りに回動して、回動体２６の他端２６ｂに接続されたワイヤー１２ｆの他端側が矢印ｄ方向に引っ張られる。
【００４３】
搬送車１がシャワー浴槽９に横付けされ、搬送車１の連結部２ｅがシャワー浴槽９の係入孔９ａ２に係入されると、搬送車１とシャワー浴槽９は連結される。このとき、前記ワイヤー操作機構によりワイヤー１２ｆの他端側が引っ張られ、脱落防止部材１２ｄは回転軸１２ｃ周りを反時計回り方向（矢印ｂ方向）に回動させられて仮想線で示す水平状態となる。搬送車１とシャワー浴槽９との連結が解除されるとワイヤー１２ｆは引っ張られないため緩み、脱落防止部材１２ｄはバネ部材の付勢力で回転軸１２ｃ周りを時計回り方向（矢印ａ方向）に回動させられて図４に示す垂直状態となる。
【００４４】
このように搬送車１とシャワー浴槽９とが連結されている間は、ワイヤー１２ｆが前記ワイヤー操作機構により引っ張られて脱落防止部材１２ｄが水平状態にあるので、担架６は搬送車１とシャワー浴槽９との間で移動可能であり、搬送車１とシャワー浴槽３との連結が解除されるとワイヤー１２ｆが緩みバネ部材の付勢力により脱落防止部材１２ｄが垂直状態になる結果、担架６は移動を防止される。
【００４５】
上記構成のシャワー浴槽９は、その天井部９ｃに、図５ａに示すように、複数の噴射ノズル１４が左右両側等数で並置されている。これら噴射ノズル１４は、天井部９ｃに、それらの対向方向の中心位置からほぼ等距離離れて配置され、かつ、それらの湯水の噴射方向が固定台部９ａの上面９ａ１の中心に向かうように傾けられて設置されている。
【００４６】
天井部９ｃは、図５ｂに示すように、上ケース９ｃ１と下ケース９ｃ２とで囲まれ、内部に噴射ノズル１４の配管１４ａ等が収納されていると共に、噴射ノズル１４は下ケース９ｃ２に設けられている。
【００４７】
下ケース９ｃ２は、上方に湾曲した形状に形成されている。下ケース９ｃ２が上方に湾曲していると、シャワー浴中に上面に付いた水滴が上面に沿って左右両側に流れて下に落ちる。そのため、上面から落下する水滴が被介助者に当たることが抑制され、被介助者に不快感を与えないようにすることができる。
【００４８】
下ケース９ｃ２には、図５ｃに示すように、噴射ノズル１４の設置用の窪み９ｇが設けられ、噴射ノズル１４は、窪み９ｇの底壁に配置され、窪み９ｇの内周壁で包囲されている。噴射ノズル１４は、窪み９ｇの内周壁で包囲されていることで、噴射ノズル１４から噴射される湯水が飛び散らず、被介助者に湯水を効率的にかけることができるようになっている。
【００４９】
図６〜図８を参照して、本実施形態の入浴装置Ａを説明する。
【００５０】
入浴装置Ａは、図６に示すように、搬送車１と、シャワー浴槽９と、浴槽１５とから構成されている。入浴装置Ａにおいては、搬送車１と、シャワー浴槽９と、浴槽１５は、この順序で隣接した状態で並んで配置され、かつ、担架６を載置する載置手段としてレール５ａ，５ｂ；１１ａ，１１ｂ；１５ａ，１５ｂを有している。搬送車１のレール５ａ，５ｂとシャワー浴槽９のレール１１ａ，１１ｂと浴槽１５のレール１５ａ，１５ｂは同じ高さで直線状に並んで配置される。
【００５１】
図６に示す入浴装置Ａにおいては、担架６は、搬送車１に搭載されている。なお、搬送車１及びシャワー浴槽９は、上述したので、その構成の説明は省略する。
【００５２】
浴槽１５は、平行な一対のレール（載置手段）１５ａ，１５ｂを有する。レール１５ａ，１５ｂの対向間隔及び高さは、搬送車１のレール５ａ，５ｂの対向間隔及び高さと、シャワー浴槽９のレール１１ａ，１１ｂの対向間隔及び高さとそれぞれ同じである。浴槽１５のレール１５ａ，１５ｂは、一対の連結体１６ａ，１６ｂで平行に連結され、これら連結体１６ａ，１６ｂは、別の連結体１７ａ，１７ｂに連結されている。連結体１７ａ，１７ｂは、昇降機構１８に連結されている。昇降機構１８は、浴槽１５のレール１５ａ，１５ｂを昇降させる機構である。なお、レール１５ａ，１５ｂではなく、浴槽１５を昇降させるようにしてもよいし、両方を昇降させるようにしてもよい。
【００５３】
上記入浴装置Ａにおいて、浴槽１５は、その右側面にシャワー浴槽９の被係合部９ａ１と同様の構成の被係合部が設けられていてもよい。この場合、浴槽１５の右側面に退浴者を乗せるための搬送車を横付けし、浴槽１５の被係合部に、前記横付けの搬送車の係合部２ｆを係合させて搬送車１と浴槽１５とを連結することができる。
【００５４】
また、浴槽１５のレール１５ｂの一端（シャワー浴槽９が隣接配置される側と反対側の端部）に、シャワー浴槽９の担架脱落防止機構１２と同様の構成の担架脱落防止機構１９を設けることで、担架６がシャワー浴槽９から浴槽１５に移動するときオーバーランし浴槽１５の右側から脱落することを防止することができる。
【００５５】
この入浴装置Ａにおいては、担架６が搬送車１上に乗せられているときは、被介助者は担架６上で予備洗身される。図６に示すように搬送車１をシャワー浴槽９に連結した状態で予備洗身を行ってもよく、シャワー浴槽９から離れた搬送車１上で予備洗身を行った後、搬送車１をシャワー浴槽９に連結するようにしてもよい。なお、予備洗身は例えば石鹸などを付けて被介助者の身体を洗うことである。
【００５６】
予備洗身が終了すると、担架６は、図７に示すように、搬送車１のレール５ａ，５ｂとシャワー浴槽９のレール１１ａ，１１ｂとを介してシャワー浴槽９にスライド移動されて、シャワー浴槽９に受け渡される。担架６がシャワー浴槽９に受け渡されると、被介助者は、シャワー浴槽９で噴射ノズル１４から噴射される湯水によるシャワー浴で洗身される。
【００５７】
なお、予備洗身は搬送車１上ではなく、担架６をシャワー浴槽９にスライド移動させた後、シャワー浴槽９内で行うようにしてもよい。この場合、介助者が搬送車１の介助者出入用のスペースＳ１内に入り込み予備洗身の作業をすることもできるし、搬送車１をシャワー浴槽９から一旦離間させてシャワー浴槽９の傍らから作業をすることもできる。シャワー浴槽９内での予備洗身が終わった後、噴射ノズル１４から湯水を噴射し洗身をする。
【００５８】
シャワー浴での洗身が終了すると、担架６は、図８に示すように、シャワー浴槽９のレール１１ａ，１１ｂと浴槽１５のレール１５ａ，１５ｂとを介してシャワー浴槽９から浴槽１５にスライド移動されて浴槽１５に受け渡され、浴槽１５で湯中浴が行われる。すなわち、担架６が浴槽１５に受け渡されると、担架６は昇降機構１８で下降されて浴槽１５内の湯水に浸けられ、これにより、被介助者は浴槽１５内の湯水で入浴される。
【００５９】
入浴が終了すると、浴槽１５の昇降機構１８で担架６は所定位置まで上昇して被介助者は退浴させられ、次いで、担架６は、浴槽１５のレール１５ａ，１５ｂ、シャワー浴槽９のレール１１ａ，１１ｂ、及び搬送車１のレール５ａ，５ｂを介して搬送車１へとスライド移動される。このスライド移動が完了して担架６が搬送車１に受け渡されると、搬送車１とシャワー浴槽９との連結が解除され、被介助者は搬送車１で搬送される。
【００６０】
なお、入浴装置の設置場所を広く確保できる場合、浴槽１５の右側（シャワー浴槽９の反対側）に別の搬送車（シャワー浴槽９に連結している搬送車とは別の搬送車）を連結し、その別の搬送車に担架６をスライド移動させ、浴槽１５との連結を解除して被介助者を搬送する。これにより、予備洗身、シャワー浴、湯中浴、退浴作業（湯中浴後の被介助者の身体拭き、搬送など）を同時に行うことができ、入浴効率を改善することができる。なお、浴槽１５の右側に搬送車が横付けされたときは、脱落防止機構１９の脱落防止部材が垂直状態から水平状態になり、浴槽１５の右側の搬送車と浴槽１５との間で担架６を移動できる。
【００６１】
なお、シャワー浴槽９は、上記に限定されず、図９に示すシャワー浴槽９Ａを使用してもよい。
【００６２】
図９に示すシャワー浴槽９Ａは、図３に示すシャワー浴槽９において介助者出入用のスペースＳ２を設けたものであり、他の構成は図３のシャワー浴槽９と同じである。図９において、図３のシャワー浴槽９と同一の部分には同一の符号を付している。シャワー浴槽９Ａと搬送車１とが連結したとき、シャワー浴槽９Ａの介助者出入用のスペースＳ２と搬送車１の介助者出入用のスペースＳ１とが連通した空間となる。担架６をシャワー浴槽９Ａから浴槽１５にスライド移動させるとき、介助者はスペースＳ２に乗って作業を行うことができ、担架６の移動を容易に行うことができる。
【００６３】
以上説明したように、上記実施形態によれば、シャワー浴後に入浴者の載せ替えを行うことなく、担架６をそのままスライド移動させて浴槽１５での入浴を可能にすることができ、他の入浴装置との連携を図ることができ、入浴効率を改善することができる。なお、上記実施形態では、担架６を移動可能に載置するレール５ａ，５ｂを備えた搬送車を用いた入浴装置について説明したが、被介助者のみを乗せて搬送する搬送車を用いることもできる。例えば、シャワー浴槽と浴槽との間で移動可能な担架を設け、被介助者が乗った搬送車をシャワー浴槽に横付けし、人手などによって被介助者をシャワー浴槽の担架上に乗せ替えて、シャワー浴槽で被介助者をシャワー浴させ、その後、担架を浴槽に移動させて被介助者を湯中浴させるようにしてもよい。
【００６４】
本発明は、上述した実施形態に限定されるものではなく、その精神または主要な特徴から逸脱することなく、他のいろいろな形態で実施できる。したがって、前述の実施形態はあらゆる点で単なる例示に過ぎず、本発明の範囲は特許請求の範囲に示すものであって、明細書本文には何ら拘束されない。さらに、特許請求の範囲に属する変形や変更は全て本発明の範囲内のものである。
【符号の説明】
【００６５】
１  搬送車
２  台車部
２ｆ  係合部
３ａ，３ｂ  フレーム部
４ａ，４ｂ  上面部
５ａ，５ｂ  レール（載置手段）
６  担架
９，９Ａ  シャワー浴槽
９ａ１  被係合部
９ａ２  係入孔
１１ａ，１１ｂ  レール（載置手段）
１２  担架脱落防止機構
１４  噴射ノズル
１５  浴槽
１５ａ，１５ｂ  レール（載置手段）
Ａ  入浴装置
Ｓ１，Ｓ２  スペース
【図１】
2019037534.tif 000003
【図２】
2019037534.tif 000004
【図３】
2019037534.tif 000005
【図４】
2019037534.tif 000006
【図５ａ】
2019037534.tif 000007
【図５ｂ】
2019037534.tif 000008
【図５ｃ】
2019037534.tif 000009
【図６】
2019037534.tif 000010
【図７】
2019037534.tif 000011
【図８】
2019037534.tif 000012
【図９】
2019037534.tif 000013
【図１０】
2019037534.tif 000014
【図１１】
2019037534.tif 000015
【図１２】
2019037534.tif 000016